(57)【要約】      （修正有）【課題】運動傷害を防ぎ、足の大きさが異なる使用者が安定した状態で立って運動でき、全身のストレッチやひねり運動にも使用できる、臀部トレーニングマシンの提供。【解決手段】本考案の臀部トレーニングマシンは、座体１と一対の移動板２から構成され、座体上蓋の下半部が中央部位から左右両側に向かって傾斜し、左右の傾斜面上にそれぞれ弧形溝１２が形成され、溝上の軌道１２１に沿ってローラーを滑動させることができ、移動板の底部前端は座体の前端に枢設され、後端に前記ローラーが設置されると共に、座体前端に槽孔１３１と溝部１３２が設けられたハンドル１３が設置され、弾性ベルトを槽孔に穿設することで、使用者は全身のストレッチ運動やひねり運動、バランス運動に用いることができ、同時に、座体上の調整部材１５で座体内の弾性体を調整し、移動板のきつさを調整することができる。【選択図】図１
0003140469.tif 000002
【実用新案登録請求の範囲】
【請求項１】
座体と、一対の移動板と、ハンドルと、調整部材と、ボルトと、Ｊ型プレートと、弾性体と、一組の連結部と、弾性ベルトと、計数器を含み、前記座体は上蓋と下蓋を組み立てて成り、前記上蓋の下半部が中央部位から左右両側に向かって傾斜しており、左右の傾斜面上にそれぞれ弧形溝が設けられ、溝上に軌道が形成され、前記一対の移動板はその底部前端が前記座体の前端に設けられた貫通孔に枢設され、且つ、前記座体内の調整弾性体機構に接続されると共に、底部後端にローラーが設置され、前記ハンドルは前記座体の前端に設けられ、槽孔と溝部が形成され、前記調整部材は前記座体後端部の中央部分に設置され、ネジ山を備えたボルトが接続され、前記ボルトはネジ山が設けられ、末端にナットが設置され、前記Ｊ型プレートは前端部のフランジ部上にネジ山が設けられ、後端部にフック部を備え、前記調整部材により動かされて前記弾性体を牽引し、前記弾性体は両端に前記連結部が設けられ、前記一組の連結部はその一端が前記弾性体に固定され、他端上に栓孔が設けられ、前記移動板上の枢軸と嵌合されてネジ部材で固定され、前記弾性ベルトは前記ハンドル上の前記溝部から穿入されて両端が槽孔から引き出されることを特徴とする、臀部トレーニングマシン。
【請求項２】
前記移動板上に突起点が設けられ、後端のかかとを配置する箇所の内側に凸枠状の位置決め部が延伸して設置されたことを特徴とする、請求項１に記載の臀部トレーニングマシン。
【請求項３】
前記ハンドル上の溝部が傾斜した開口状に形成されたことを特徴とする、請求項１に記載の臀部トレーニングマシン。
【請求項４】
前記調整部材によりボルト部上のネジ山を回転させ、Ｊ型プレート前端部のフランジ部上のネジ山と係合を経て、後端部の前記フック部により弾性体を引っ掛けてきつさの調整を行い、同時に弾性体両端の連結部が動かされ、連結部上の栓孔が相対して嵌合された枢軸栓を動かし、その上の枢軸に移動板と共に連動を発生し、２つの移動板間のきつさを構成することを特徴とする、請求項１に記載の臀部トレーニングマシン。
【考案の詳細な説明】
【技術分野】
【０００１】
本考案は臀部トレーニングマシンに関し、特に、脚の収縮運動を利用し、臀部を動かして運動効果を達する臀部トレーニングマシンに関する。
【背景技術】
【０００２】
すらりとして弾性を備えた美脚と丸く引き締まった美しい臀部を持つことは、女性が多かれ少なかれ求めるスタイルである。
【０００３】
しかし、オフィスやコンピュータデスクの前に腰掛け手仕事をするオフィスワーカーたちは、長時間座って仕事をするため、臀部と脚が太りやすく、または動物性脂肪を多く摂り過ぎると下半身に蓄積し、加えて運動不足の状況では脚と臀部上に容易に贅肉がついてしまう。
【０００４】
この状況を改善する最良の方法は運動であるが、時間や場所が制限されるため、現今の都市に暮らす人々にとって最良の方法は家の中で運動することである。
【０００５】
現在見受けられる臀部のトレーニングマシンは、トレーニングの効果を達するため、全体構造が大きすぎ、収納に不便である。
【０００６】
ここから分かるように、上述の従来の運動器材にはまだ多くの欠点があり、優れた設計であるとはいえないため、改良が待たれている。
【０００７】
本考案の考案者は、上述の従来の方法及び商品から派生する各欠点に鑑みて、改良を行ったものであり、長年の研究を経て、ついに本考案の開発に成功したものである。
【考案の開示】
【考案が解決しようとする課題】
【０００８】
本考案の目的は、移動板とその底部のローラー間に弾性体が設置され、使用者が運動するとき、弾性体の付勢力により運動傷害を防ぐことができる、臀部トレーニングマシンを提供することにある。
【０００９】
本考案の別の目的は、移動板上に延伸された位置決め部及び突起点の設置により、大きさが異なる足形の使用者が安定した状態で立つことができ、且つ操作使用時に位置決め部上に施力でき、運動の目的を達することができ、US６,８２４,５００Ｂ２案より優れている、臀部トレーニングマシンを提供することにある。
【００１０】
本考案のさらに別の目的は、ハンドル上に穿設された弾性ベルトにより、使用者に全身のストレッチ運動、身体のひねり運動、身体のバランス運動を提供する、臀部トレーニングマシンを提供することにある。      
【課題を解決するための手段】
【００１１】
本考案の臀部トレーニングマシンは、脚の運動により臀部を収縮させるトレーニングマシンであり、座体及び一対の移動板から構成され、移動板底部前端が座体内に枢着されて、調整弾性体機構と接続され、移動板底部後端にローラーが設置され、人体の脚のかかと閉じ合わせ運動により、座体後端斜面上の弧形溝上に設けられた既定の軌道に沿って下から上へと往復移動させることができ、このほか、移動板後端のかかとを置く箇所に局部的に凸枠状の位置決め部が延伸して設けられ、足が長い、または足が大きい使用者でも便利に足を置き、転ばないようにすると共に、位置決め部により移動板上にしっかりと足を置いてかかと閉じ合わせ運動を行うことができる。また、座体上の調整部材で移動板のきつさを調整でき、座体内部の調整弾性体機構によりきつさを調整し、異なる運動量の使用者の必要を満たすことができる。同時に、隨意に調整できるため、本考案で多段階式の運動効果を得ることができる。    
【考案の効果】
【００１２】
本考案の臀部トレーニングマシンは、移動板底部のローラー部分に設置された弾性体により、使用者が運動するときの運動傷害を防ぐことができ、また移動板上に延伸された位置決め部及び突起点の設置により、足の大きさが異なる使用者が安定した状態で立って運動を行うことができ、さらに、ハンドル上に穿設された弾性ベルトにより、全身のストレッチ運動、ひねり運動、バランス運動を行うこともできる。  
【考案を実施するための最良の形態】
【００１３】
図１から図７の本考案の臀部トレーニングマシンの立体分解図、組み立て構造図に示すように、本考案の臀部トレーニングマシンは、座体１及び２つの移動板２から構成される。そのうち、座体１は上蓋１０及び下蓋１０’を組み立てて成り、上蓋１０の前端部に左右対称の貫通孔１１が設けられ、移動板２をその中に枢着することができ、上蓋１０の下半部は中央部位から左右両側に向かって傾斜され、左右の傾斜面１４上にそれぞれ弧形溝１２が設けられ、溝面上にローラー２３を滑動させるための軌道１２１が形成される。座体前縁部にはハンドル１３が設置され、使用者の携帯に便利であり、上蓋１０上には槽孔１３１が設けられ、且つ、ハンドル１３上には溝部１３２が形成され、弾性ベルト４が溝部１３２から槽孔１３１に穿入され、使用者が掴むことができるよう両端が槽孔１３１から穿出され、さらに座体１後縁部に調整部材１５が設置される。一対の移動板２は座体１上に枢着され、その面上に複数の突起点２１が配置され、前記突起点２１は足の反射ツボ位置に対応して設置され、これにより人体の足部の組織に対してマッサージ作用を発生し、且つ、滑り止めと両足の閉じ合わせを助ける機能を備えている。２つの移動板２は底部前端に共に枢軸２２が設けられ、後端に共にローラー２３が設置され、前記ローラー２３は枠体２３１によってローラー２３及び弾性体２３２が移動板２底部に位置決めされると共に、移動板２の後端のかかとで踏む位置の内側に凸枠状の位置決め部２５が延伸して設けられ、使用者は位置決め部２５により両足でしっかりと踏み、かかと閉じ合わせ運動をすることができる。人の足の大きさには違いがあるため、足の大きい使用者が立ちにくくならないように、両足のかかと部内側のみに位置決め部を設けている。
【００１４】
組み立て時にはまず移動板２の枢軸２２をそれぞれ座体１の上蓋１０の貫通孔１１上に対応させて組み込み、このとき移動板２上の弾性体２３２を組み合わせたローラー２３がちょうど上蓋１０の弧形溝１２内に位置し、上蓋１０の底部の連結部２４上の栓孔２４２と移動板２下方の枢軸２２上の枢軸栓２２１を相互に嵌合させてネジ部材２４１で固定し、これにより移動板２が枢軸２２を中心とし、座体斜面上の弧形溝１２をあらかじめ設けられた軌道１２１として下から徐々に上にと往復移動することができる。同時に図５と図６に示すように、弾性体１７の両端がそれぞれ２つの移動板２底部の連結部２４に固定され、調整部材１５の回転によりボルト部１５１上のネジ山が動かされ、Ｊ型プレート１８前端部のフランジ部１８１上のネジ山と係合され、且つＪ型プレート１８後端部のフック部１８２の作用で弾性体１７が引っ掛けられて牽引され、連結部２４が連動される調整弾性体の構造が構成され、２つの移動板２間のきつさを変えることができ、多段階にきつさを調整する機能が得られる。ボルト部１５１末端にはナット１５２を設置し、調整間隔を制御する。固定板１５３は牽引力が強すぎてＪ型プレート１８がずれてしまわないようにする。
【００１５】
図８及び図９に本考案の臀部トレーニングマシンの使用時の動作を示す。使用時には、両足を座体１の対応する移動板２上に置いて立ち、かかとを移動板２のローラー２３が設置された端部に配置し、人体の足のかかとを閉じ合わせる運動により、前記枢軸を中心として前記移動板２をかかとの移動に伴って移動させ、座体１後端の傾斜面上の弧形溝１２上で下から上へと往復移動させる。移動板２前端下方の枢軸２２が弾性体１７によって引っぱられるため、一対の移動板２は未使用時にその後端がそれぞれ弧形溝１２の最も外側に位置し、このため弾性体１７がきつく引っぱられるほど、使用者が使用時に両足下の移動板２を内側に動かして揃えるためにより大きな力が必要となり、臀部のトレーニングに役立つ。
【００１６】
このほか、使用者がきつさを調整したいときは、座体１上の調整部材１５を回転させて調整するだけで、調整部材１５上のボルト部１５１がＪ型プレート１８を動かして２つの連結部上の弾性体１７のきつさまたはゆるさを調整することができる。
【００１７】
弾性体１７がきつく引っぱられると、両端の連結部２４が下方向へ移動し、このとき移動板下端部の枢軸２２上の枢軸栓２２１は連結部２４上の栓孔２４２と嵌合されているために連結部２４と共に移動し、外側に向かって押し開かれ、反対に、弾性体１７が緩められると、両端の連結部２４も動かしやすくなるため、これにより使用者は多段階指揮にきつさを調整して使用することができる。
【００１８】
図１０及び図１１にハンドル１３上の槽孔１３１及び溝部１３２の構造を示す。弾性ベルト４はハンドル１３上の溝部１３２から穿入され、溝部１３２は傾斜した開口状であるため、弾性ベルト４を穿入させた後離脱しにくく、使用者は弾性ベルト４を使い、各種全身ストレッチ運動や身体のひねり運動、バランス運動などを行うことができる。
【図面の簡単な説明】
【００１９】
【図１】本考案の立体外観図である。
【図２】本考案の立体分解図である。
【図３】本考案の弧形溝の局部断面図である。
【図４】本考案の上蓋内部構造を示す立体分解図である。
【図５】本考案の下蓋内部構造を示す立体外観図である。
【図６】本考案の調整弾性体機構の立体図である。
【図７】本考案のローラーの立体分解図である。
【図８】本考案の弾性ベルトの操作を示す外観図である。
【図９】本考案の別の弾性ベルトの操作を示す外観図である。
【図１０】本考案のハンドルの立体図である。
【図１１】本考案のハンドルの槽孔の断面図である。
【符号の説明】
【００２０】
１        座体
１０’    下蓋      
１０      上蓋
１１      貫通孔                      
１２      弧形溝                 
１２１    軌道
１３      ハンドル
１３１    槽孔
１３２    溝部
１４      傾斜面
１５      調整部材
１５１    ボルト部
１５２    ナット１５３    固定板
１７      弾性体
１８      Ｊ型プレート
１８１    フランジ部
１８２    フック部
２        移動板
２１      突起点
２２      枢軸
２２１    枢軸栓
２３      ローラー
２３1    枠体
２３２    弾性体
２４      連結部
２４１    ネジ部材
２４２    栓孔
２５      位置決め部
３        計数器
４        弾性ベルト
【図１】
0003140469.tif 000003
【図２】
0003140469.tif 000004
【図３】
0003140469.tif 000005
【図４】
0003140469.tif 000006
【図５】
0003140469.tif 000007
【図６】
0003140469.tif 000008
【図７】
0003140469.tif 000009
【図８】
0003140469.tif 000010
【図９】
0003140469.tif 000011
【図１０】
0003140469.tif 000012
【図１１】
0003140469.tif 000013